(57)【要約】【課題】  用紙の途中で印刷が終わっているものに対して、用紙の印刷がされていない所に印刷することができる印刷システムを提供することである。【解決手段】  ページ単位で印刷位置をずらすことができるようにする。【選択図】  図１
2006331087.tif 000002
【特許請求の範囲】
【請求項１】
情報処理装置で起動されるアプリケーションから出力される印刷情報を印刷する印刷システムにおいて、印刷が指定されたデータに対して、任意のページ間に空白のページを加えることができ、かつその印刷結果を表示可能なプレビュー機能を有することを特徴とした印刷システム。
【請求項２】
請求項１に記載の印刷システムにおいて、任意のページ間に空白のページを加える処理を行うことのできることを特徴とした印刷システム。
【請求項３】
請求項１に記載の印刷システムにおいて、任意のページ間に空白のページを加える処理を行うことことを特徴とした印刷システム。
【発明の詳細な説明】
【技術分野】
【０００１】
本発明は、情報処理装置で起動されるアプリケーションから出力される印刷情報を印刷する印刷システムに関するものである。
【背景技術】
【０００２】
割付印刷機能により、複数の論理ページを１枚の用紙に同時に印刷することができる。
【０００３】
しかし、割付印刷において、用紙の途中で印刷が終わったものに対して、その続きから印刷を開始することはできない。
【０００４】
又、別の従来例としては、特許文献１及び特許文献２をあげることが出来る。
【特許文献１】特開２０００−１４１７００号公報
【特許文献２】特開２００１−２３９７１６号公報
【発明の開示】
【発明が解決しようとする課題】
【０００５】
本発明は、用紙の途中で印刷が終わっているものに対して、用紙の印刷がされていない所に印刷することができる印刷システムを提供することである。
【課題を解決するための手段】
【０００６】
請求項１に記載の情報処理システムは、情報処理装置で起動されるアプリケーションから出力される印刷情報を印刷する印刷システムであって、印刷が指定されたデータに対して、任意のページ間に空白のページを加えることができる印刷システムで、かつその印刷結果を表示可能なプレビュー機能を有することを特徴とするものである。
【０００７】
請求項２に記載の印刷システムは、請求項１に記載の印刷システムにおいて、任意のページ間に空白のページを加える処理を行うことができることを特徴とするものである。
【０００８】
請求項３に記載の印刷システムは、請求項１に記載の印刷システムにおいて、任意のページ間に空白のページを加える処理を行うことができることを特徴とするものである。
【発明の効果】
【０００９】
以上詳述したように、請求項１に記載のプリンタドライバによれば、ページ単位で印刷位置がずらすことができるので、用紙の途中で印刷の終わっているものに対して続きから印刷することが可能となる。
【００１０】
請求項２に記載のプリンタドライバによれば、プレビューにより空のページを加えたことを視覚的に確認することが可能となる。
【発明を実施するための最良の形態】
【００１１】
次に、本発明の詳細を実施例の記述に従って説明する。
【００１２】
以下、本発明の実施例を図面を参照して詳述する。
【００１３】
図１は本発明の全体の流れを示すフローチャートである。
【００１４】
ステップＳ１０１において、情報処理装置で起動されるアプリケーションから出力される印刷情報の印刷設定を行う。
【００１５】
ステップＳ１０２において、空白のページを加えるならステップＳ１０３へ、加えないならステップＳ１０５へ進む。
【００１６】
ステップＳ１０３、Ｓ１０４において、空白ページを加える場所と加える空白ページ数を印刷設定の情報としてデータに加える。
【００１７】
ステップＳ１０５において、印刷設定情報と印刷情報を印刷システムに入力する。
【００１８】
ステップＳ１０６において、空白ページを加えるかを判断し、加えないならステップＳ１０７へ、加えるならステップＳ１０８へ進む。
【００１９】
ステップＳ１０７においては、通常の印刷処理を行う。
【００２０】
ステップＳ１０８において、入力されたデータのページ順序を、空白ページを加えた順序に変更する。
【００２１】
ステップＳ１０９において、ページ順序に従って、実際に印刷する用紙上に各ページを展開していく。
【００２２】
ステップＳ１１０において、プレビューを表示するならステップＳ１１１へ、表示しないのならステップＳ１１２へ進む。
【００２３】
ステップ１１１において、プレビューで印刷結果を表示する。
【００２４】
ステップ１１２において、印刷処理を行う。
【００２５】
図２は請求項２に記載の印刷システムにおける空白ページを加える処理を示すフローチャートである。
【００２６】
図３は請求項３に記載の印刷システムにおける空白ページを加える処理のフローチャートである。
【００２７】
ステップＳ２０１において、情報処理装置にデータが入力される。
【００２８】
ステップＳ２０２において、空白ページを加える設定がされているか判断し、加えないならステップＳ２０３へ、加えるならステップＳ２０４へ進む。
【００２９】
ステップＳ２０４において、空白ページを加えるように指示されているページ間のページ順序を変更し、空白ページが加えられた形のページ順序にする。
【００３０】
ステップＳ２０５において、加えられた空白ページ数を全印刷ページ数に加え、空白ページも含んだ全ページ数に変更する。
【００３１】
ステップＳ２０６において、ページ順序に従って実際に印刷する用紙上に各ページを展開していく。
【００３２】
ステップＳ２０７において、プレビュー表示の設定がされているか判断し、されているならステップＳ２０８へ、されていないならステップＳ２０９へ進む。
【００３３】
ステップＳ２０８において、表示装置に印刷結果を表示する。
【００３４】
ステップＳ２０９において、印刷装置に印刷データを出力し印刷を行う。
【００３５】
図３は請求項３に記載の印刷システムにおける空白ページを加える処理を示すフローチャートである。
【００３６】
ステップＳ３０１において印刷装置に印刷データが入力される。
【００３７】
ステップＳ３０２からステップＳ３０６までは図２と同様である。
【００３８】
ステップＳ３０９において、印刷処理を行う。
【００３９】
図４は３ページ分の印刷情報を４分割で通常印刷する場合の図である。
【００４０】
図４を印刷する場合の印刷設定において、１ページ目に空白ページを加えるとして、展開順序の１番目に空白ページの展開を指示し、それ以降に本来のページ展開をするようにしてから用紙ページ上に展開をして印刷をすると、図５のように印刷することができる。
【００４１】
このとき、プレビューを表示するように設定した場合空白ページを加えた場合の印字結果を確認することができる。
【００４２】
図６は通常印刷において４分割で印刷を行い、用紙の４分の１まで印刷して排紙されたときの図である。
【００４３】
図６に対して、図４の１ページ目に空ページを加え印刷する、すなわち図５を印刷すると、図７のように印刷することができる。
【図面の簡単な説明】
【００４４】
【図１】本発明の全体の流れを示すフローチャートである。
【図２】情報処理装置における空白ページを加える処理を示すフローチャートである。
【図３】印刷装置における空白ページを加える処理を示すフローチャートである。
【図４】３ページ分の印刷情報を４分割で通常印刷した図である。
【図５】図４において、論理ページの１ページ目に空ページを加えた図である。
【図６】用紙の途中で印字が終わった図である。
【図７】図６の用紙に図５を印刷した図である。
【図１】
2006331087.tif 000003
【図２】
2006331087.tif 000004
【図３】
2006331087.tif 000005
【図４】
2006331087.tif 000006
【図５】
2006331087.tif 000007
【図６】
2006331087.tif 000008
【図７】
2006331087.tif 000009